(57)【特許請求の範囲】
【請求項１】
車輪を駆動する電動モータ、同電動モータに給電するバッテリ、及び、運転用の座席シートを走行機体に備え、
前記座席シートは、前記座席シートの前側に配置された左右横向き軸心回りに揺動自在に支持されて、着座するための第１位置と着座面が倒立した第２位置との間で切り換え可能なように構成され、
外部給電設備によって前記バッテリを充電するための充電手段が、前記座席シートの前部に内装され、
前記充電手段は、前記座席シートが前記第２位置に切り換えられた状態においてプラグ又はタップが前記座席シートの裏面から露出するように構成されている電動トラクタ。
【請求項２】
前記充電手段は前記座席シートの裏面から引き出し可能な充電用コードによって構成されている請求項１に記載の電動トラクタ。
【請求項３】
前記充電用コードが前記座席シートに支持されたコードリールを介して出し入れ可能に支持されている請求項２に記載の電動トラクタ。
【請求項４】
前記バッテリへの充電操作に基づいて点灯する充電ランプが、前記座席シートの裏面または前記裏面から引き出し可能な充電用コードのプラグに配置されている請求項２または３に記載の電動トラクタ。
【請求項５】
前記充電手段は、前記外部給電設備から延出された充電用コードのプラグを差し込み可能なように前記座席シートの裏面に配置されたタップによって構成されている請求項１に記載の電動トラクタ。
【請求項６】
前記座席シートの前記第１位置への切り換えに基づいて、前記バッテリから前記電動モータへ給電するための給電回路を閉じて、前記充電手段を介して前記バッテリを充電するための充電回路を開き、前記座席シートの前記第２位置への切り換えに基づいて、前記給電回路を開いて、前記充電回路を閉じる切り換えスイッチが設けられている請求項１から５のいずれか一項に記載の電動トラクタ。
【発明の詳細な説明】
【技術分野】
【０００１】
本発明は、車輪を駆動する電動モータ及び同電動モータに給電するバッテリを備えた電動トラクタに関する。
【背景技術】
【０００２】
この種の電動トラクタに関連する先行技術文献情報として下記に示す特許文献１がある。この特許文献１に記された電動式作業機械は、電動式の油圧ショベルであり、クローラ式の走行体と、走行体の上に支持された旋回体とを有し、旋回体には運転室とブームが支持されている。この油圧ショベルは、搭載したバッテリを電源として運転され、定置式の充電設備から引き出された電源コードを、旋回体の後部に配置された充電ポート（充電手段）に接続することで、バッテリに充電することができる。
【先行技術文献】
【特許文献】
【０００３】
【特許文献１】特開２００９−２５６９８８号公報（００１８段落、図１）
【発明の概要】
【発明が解決しようとする課題】
【０００４】
しかし、特許文献１に記された電動式作業機械では、定置式の充電設備から引き出された電源コードを接続するための充電ポートが、油圧ショベルの運転室よりも後部の外壁面に設置されているため、充電ポートが風雨に曝されて傷み易いという問題や、電源コードが接続された状態のまま走行してしまい、電源コードや充電ポートを破損する虞があった。
【０００５】
そこで、本発明の目的は、上に例示した従来技術による電動式作業機械が与える従来技術の状況に鑑み、充電手段が傷み難く、不用意に電源コードや充電手段を破損する虞の少ない電動トラクタを提供することにある。
【課題を解決するための手段】
【０００６】
本発明による電動トラクタの特徴構成は、
車輪を駆動する電動モータ、同電動モータに給電するバッテリ、及び、運転用の座席シートを走行機体に備え、
前記座席シートは、前記座席シートの前側に配置された左右横向き軸心回りに揺動自在に支持されて、着座するための第１位置と着座面が倒立した第２位置との間で切り換え可能なように構成され、
外部給電設備によって前記バッテリを充電するための充電手段が、前記座席シートの前部に内装され、
前記充電手段は、前記座席シートが前記第２位置に切り換えられた状態においてプラグ又はタップが前記座席シートの裏面から露出するように構成されている点にある。
【０００７】
一般的に座席シートは電動トラクタの前後方向の中間位置に位置するので、上記の特徴構成による電動トラクタでは、充電手段も、電動トラクタの前後方向の中間位置に配置されることとなり、運転室よりも後部の外壁面に設置されている構成に比べて充電手段が風雨に曝され難く、傷み難くなる。また、一般的に座席シートは充電中を除けば着座面が水平な第１位置とされているため、充電手段は着座面を水平とした姿勢の座席シートの裏面で座席シートによって保護された状態となるため更に風雨に曝され難く、傷み難くなる。また、充電手段が座席シートの裏面に配置されているので、仮に水が進入しても充電手段の中に水が溜まることはない。
【０００８】
また、上記の特徴構成による電動トラクタでは、座席シートを着座面が倒立した第２位置としなければバッテリの充電ができない。すなわち、作業者は倒立した着座面には着座できず、電動トラクタを運転できないので、充電手段と外部給電設備とが電源コードによって接続された状態のまま走行してしまい、電源コードや充電手段や外部給電設備を破損するような事態が未然に抑止される。
【０００９】
また、上記の特徴構成による電動トラクタでは、充電手段と外部給電設備とが電源コードによって接続された状態では座席シートを着座するための第１位置に戻すことができないので、作業者が充電完了後などに電源コードを充電手段または外部給電設備から外す操作を忘れてしまう事態が未然に抑止される。
【００１０】
さらに、一般的に座席シートの上には運転中の作業者自身以外の物を載置することは少ないため、充電手段が運転エリアの床面などに配置されている構成に比べて、充電を開始するに当たって充電手段の上に置かれた工具箱などの物を移動させる必要なども生じない。
【００１１】
本発明の他の特徴構成は、前記充電手段は前記座席シートの裏面から引き出し可能な充電用コードによって構成されている点にある。
【００１２】
本構成であれば、充電中以外の状況では充電用コードは座席シートの裏面に収納されているので、電動トラクタを運転中などに充電用コードが邪魔になる虞が少ない。
また、本構成であれば、一般家庭に備えられているコンセントなどを外部給電設備として利用できる。
【００１３】
また、外部給電設備側から引き出した電源コードを電動トラクタの充電手段に接続する構成では、複数の外部給電設備を利用する場合には、外部給電設備毎に電源コードの最大長さが異なる可能性があるが、本構成であれば、電動トラクタの充電手段に配された充電用コードの長さを事前に認識しておき易いため、作業者は外部給電設備からトラクタまでの距離が充電用コードの長さを超えない適切な位置にトラクタを停車して円滑に充電作業を行うことができる。
【００１４】
本発明の他の特徴構成は、前記充電用コードが前記座席シートに支持されたコードリールを介して出し入れ可能に支持されている点にある。
【００１５】
本構成であれば、充電を行う際には、充電用コードの先端部を引っ張るだけで簡単に充電用コードを引き出し、外部給電設備に接続することができる。また、長尺の充電用コードを用いる場合も、充電用コードの先端に設けられたプラグのみを残した充電用コードの全長を座席シートの裏面に収納できるため、充電用コードの一部を座席シートと車両本体との間に挟み込んでしまう等の問題が生じ難い。
【００１６】
また、本構成であれば、外部給電設備からトラクタまでの距離に適した必要十分な長さの充電用コードをコードリールから引き出して用いることができるため、外部給電設備とトラクタの間の床などに過剰な長さの充電用コードが置かれて作業の邪魔になるなどの問題が解消される。
【００１７】
本発明の他の特徴構成は、前記バッテリへの充電操作に基づいて点灯する充電ランプが、前記座席シートの裏面または前記裏面から引き出し可能な充電用コードのプラグに配置されている点にある。
【００１８】
本構成であれば、充電操作が正常に進行中か否か、また、充電操作が正常に完了したか充電操作の途中であるかを作業者が視覚的に簡単に判断できるため好都合である。また同充電ランプが、座席シートの裏面または充電用コードのプラグに配置されているので、運転エリアの計器パネルに配置されている構成などに比べて、作業者は運転エリアに搭乗するまでもなく電動トラクタの周囲の地面に立った状態でも確認できる。
【００１９】
本発明の他の特徴構成は、前記充電手段は、前記外部給電設備から延出された充電用コードのプラグを差し込み可能なように前記座席シートの裏面に配置されたタップによって構成されている点にある。
【００２０】
本構成であれば、座席シートの裏面に長尺の充電用コードを収納する空間を設ける必要がないため、座席シートをコンパクトに設定でき、また、電動トラクタを運転中などに充電用コードが邪魔になる虞が少ない。
【００２１】
本発明の他の特徴構成は、前記シートの前記第１位置への切り換えに基づいて、前記バッテリから前記電動モータへ給電するための給電回路を閉じて、前記充電手段を介して前記バッテリを充電するための充電回路を開き、前記シートの前記第２位置への切り換えに基づいて、前記給電回路を開いて、前記充電回路を閉じる切り換えスイッチが設けられている点にある。
【００２２】
本構成であれば、充電を行うには座席シートを倒立した第２位置にする必要があるため、切り換えスイッチによって自動的に電動モータへの給電回路は開いた状態になるので、もしも運転エリアなどで不用意に走行用のスイッチが入り操作されても、電動モータが駆動されてしまうという虞がない。
【図面の簡単な説明】
【００２３】
【図１】本発明に係る電動トラクタの外観を示す側面図である。
【図２】本発明に係る電動トラクタの構成を模式的に示す平面図である。
【図３】座席シート（第１位置）の付近を示す一部破断側面図である。
【図４】座席シート（第２位置）の付近を示す一部破断側面図である。
【図５】別実施形態による座席シート（第１位置）付近を示す一部破断側面図である。
【図６】別実施形態による座席シート（第２位置）付近を示す一部破断側面図である。
【発明を実施するための形態】
【００２４】
以下に本発明を実施するための形態について図面を参照しながら説明する。
図１に、本発明に係る電動トラクタの一例として農用トラクタの全体側面が示されている。この農用トラクタは、原動機としての交流モータ１（電動モータの一例）とミッションケース３とが板金製のハウジングフレーム４（走行機体）を介して連結された構造となっている。交流モータ１の下部から前方に延出された前フレーム５に操向用の前輪６が支持されている。
【００２５】
交流モータ１から取り出される回転力は、減速機を兼ねたギヤケース２から、座席シート１５の下方に配置された駆動軸７を経て、ミッションケース３に伝達される。
ミッションケース３の後部に配置されたデフケース３ｄの左右に走行用の後輪８が装着されており、そのデフケース３ｄの後面からＰＴＯ出力軸１２が後ろ向きに突設配備されている。
また、デフケース３ｄの上部に連結されたシリンダケース１０によって油圧駆動されるリフトアーム９が、作業装置連結用の３点リンク機構１１の昇降操作を行う。
【００２６】
ミッションケース３には、交流モータ１の回転動力を、後輪８を駆動するための走行出力軸と、耕耘装置などの作業装置を駆動するためのＰＴＯ出力軸１２とに分割する動力分割手段（不図示）が設けられている。動力分割手段は、例えば、交流モータ１の回転軸と連結された太陽ギヤと、この太陽ギヤの内歯と同時に噛合する２つの遊星ギヤとで構成することができる。
【００２７】
第１の遊星ギヤによって取り出される回転力は、運転エリア１４の変速レバー１７を介して操作される前後進切り換え用及び変速用のギヤ列と、デフケース３ｄとを経て、後輪８または前輪６及び後輪８に伝えられる。
第２の遊星ギヤによって取り出される回転力は、運転エリア１４のＰＴＯ操作レバー１８を介して操作されるＰＴＯクラッチ（不図示）を経て、ＰＴＯ出力軸１２に伝えられる。
【００２８】
交流モータ１の後方には運転用の座席シート１５が配置され、交流モータ１の前方には同交流モータ１に給電するためのバッテリ２０を備えている。バッテリ２０の電力は交流モータ１に隣接配置されたインバータ付きの給電回路２２を介して交流モータ１に給電される。
【００２９】
この電動トラクタは、バッテリ２０を外部給電設備７０によって充電するための充電手段として、外部給電設備７０に接続するための十分な長さの充電用コード２４を装備しており、充電用コード２４は座席シート１５に内装されたコードリール２５の回転ドラムに巻回されている。
【００３０】
図３と図４に示すように、座席シート１５は、座席シート１５の前端付近の下部に配置された左右横向き軸心Ｘ１回りで、クッションバネ１９によって下方から支持された着座用の第１位置（図３）と、クッションバネ１９から離間し、着座面１５Ａが水平に対して約６０°傾斜（倒立の一例）した第２位置（図４）との間で手動切り換え可能に支持されている。
【００３１】
図３に示すように、座席シート１５の裏面は板金製などのカバー部材１６によって閉じられており、このカバー部材１６の一部が上向きに突出した凸部１６Ａとされることで、座席シート１５の裏面に空洞部１５Ｖが形成されている。
コードリール２５は、座席シート１５の座部１５Ｓの内部で、且つ、空洞部１５Ｖの前方に隣接するように配置され、カバー部材１６に対して複数のネジなどで固定されている。空洞部１５Ｖには、充電用コード２４の遊端に接続されたプラグ２４Ｐを非充電時に収納しておくことができる。
【００３２】
コードリール２５は、一般的に持ち運び式のコードリールと同様に、軸心Ｘ２回りで回転可能に支持された巻き取りドラム（不図示）と、巻き取りドラムを巻き取り方向に付勢するゼンマイバネ（不図示）とを備える。巻き取りドラムに巻き取られている充電用コード２４の内径側の端部は、巻き取りドラムの一端に同心円状に配置された２つの銅製の環状端子板（不図示）と摺接移動するように構成されている。２つの環状端子板はリード線２６を介して充電回路２８に接続されている。
【００３３】
図３に示すように、座席シート１５が着座するための第１位置にある状態では、コードリール２５の回転軸心Ｘ２は概して鉛直方向に延出されており、空洞部１５Ｖは座席シート１５自体によって実質的に閉じられている。
図４に示すように、座席シート１５を第２位置に切り換えると、座席シート１５の裏面及び空洞部１５Ｖが露出され、充電用コード２４のプラグ２４Ｐが作業者の視界に入る。充電用コード２４のプラグ２４Ｐを空洞部１５Ｖから外側に引き出すと、コードリール２５の巻き取りドラムが巻き戻し方向に回転操作されて、必要長さの充電用コード２４が繰出される。
【００３４】
すなわち、コードリール２５には制動装置と制動解除ボタンが設けられており、プラグ２４Ｐなどを持って充電用コード２４を引き出すと、ゼンマイバネの付勢力に抗して巻き取りドラムが回転することで充電用コード２４の長さを変更できるが、充電用コード２４を引き出す力を緩めると、制動装置の作用により、巻き取りドラムがゼンマイバネの付勢力によって巻き取り方向に回転することが規制されるので、巻き取りドラムは任意の位置で停止する。制動解除ボタンを押すと、制動装置の制動作用が解除されて、巻き取りドラムがゼンマイバネの付勢力によって充電用コード２４の巻き取りを開始する。
【００３５】
充電用コード２４のプラグ２４Ｐを外部給電設備７０の出力部に接続することで、外部給電設備７０からバッテリ２０への充電操作が開始されることに基づいて点灯し、充電操作の完了に応じて消灯される充電ランプ２７が、座席シート１５の裏面に配置されている。ここでは、充電ランプ２７は空洞部１５Ｖの天井部すなわちカバー部材１６の凸部１６Ａに取り付けられており、充電ランプ２７のＯＮ／ＯＦＦ操作は充電回路２１と接続されたコントローラ５０によって制御される。尚、充電ランプ２７を充電用コード２４のプラグ２４Ｐに設けてもよい。
【００３６】
運転エリア１４には、座席シート１５の姿勢を検知する検出器３０（切り換えスイッチの一例）が設けられている。検出器３０はバネによって上向きに突出付勢された被操作片３０Ａを有し、被操作片３０Ａの下方に設けられた可動接点の作用により、第１位置の座席シート１５によって被操作片３０Ａが押し下げられると、検出器３０からコントローラ５０にＯＮ信号が出力され、座席シート１５が第１位置から第２位置に向かって傾動されると、被操作片３０Ａが上方に変位することでＯＮ信号の出力が解除される。
【００３７】
コントローラ５０には、検出器３０からのＯＮ信号すなわち座席シート１５の第１位置への切り換えに基づいて、バッテリ２０から交流モータ１へ給電するための給電回路２２を閉じて、充電手段を介してバッテリ２０を充電するための充電回路２１を開いた「運転モード」とし、座席シート１５の第２位置への切り換えに基づいて、給電回路２２を開いて、充電回路２１を閉じる「充電モード」とするモード切り換え部が設けられている。
【００３８】
したがって、バッテリ２０の充電を行うには座席シート１５を倒立した第２位置にする必要があるため、検出器３０及びモード切り換え部によって自動的に交流モータ１への給電回路２２は開いた状態になるので、もしも運転エリア１４などで不用意に走行用のスイッチが入り操作されても、交流モータ１が駆動されてしまう虞がない。
【００３９】
〔別実施形態〕
〈１〉図５と図６に例示するように、コードリール２５は設けずに、充電手段として座席シート１５の裏面にタップ３２を配置した形態で実施してもよい。タップ３２には、外部給電設備７０から延出された充電用コード２４のプラグ２４Ｐを差し込み可能なコンセント口が設けられている。
ここでも、座席シート１５は、座席シート１５の前端付近の下部に配置された左右横向き軸心Ｘ１回りで、着座するための第１位置（図５）と、着座面１５Ａが水平に対して約６０°傾斜（倒立の一例）した第２位置（図６）との間で手動切り換え可能に支持されている。
【００４０】
タップ３２は座席シート１５の内部に配置され、カバー部材１６の凸部１６Ａの上面にネジなどで空洞部１５Ｖの側から固定されており、図６に示すように、凸部１６Ａの一部に形成された貫通口１６Ｈを介して、前述したコンセント口に充電用コード２４のプラグ２４Ｐを装着することができる。タップ３２のコンセント口に設けられた接点はリード線２６を介して充電回路２１に接続されている。
【００４１】
図５に示すように、座席シート１５が着座するための第１位置にある状態では、タップ３２のコンセント口は概して鉛直方向に延出されており、空洞部１５Ｖは座席シート１５自体によって実質的に閉じられている。
【００４２】
図６に示すように、座席シート１５を第２位置に切り換えると、座席シート１５の裏面及び空洞部１５Ｖが露出され、タップ３２のコンセント口が作業者の視界に入り、充電用コード２４のプラグ２４Ｐをタップ３２のコンセント口に装着可能になる。
【００４３】
図３と図４の実施形態と同様に、充電用コード２４のプラグ２４Ｐをタップ３２のコンセント口に接続することで、外部給電設備７０からバッテリ２０への充電操作が開始されることに基づいて点灯し、充電の完了に応じて消灯される充電ランプ２７が空洞部１５Ｖの天井部に配置されている。座席シート１５の姿勢を検知する検出器３０の構成も図３と図４の実施形態と同様である。
【００４４】
〈２〉走行出力軸を駆動するための第１の交流モータとＰＴＯ出力軸１２を駆動するための第２の交流モータとを設け、動力分割手段を省略した構成で実施することも可能である。
【００４５】
〈３〉座席シート１５の裏面にコードリール２５を設けず、作業者が手動で充電用コード２４を巻き付けることの可能なフック状部材を座席シート１５の空洞部１５Ｖに設けておいてもよい。
【産業上の利用可能性】
【００４６】
車輪を駆動する電動モータと、同電動モータに給電するバッテリと、同バッテリに外部給電設備から充電するための充電手段とを備えた電動トラクタを合理的に構成する技術として利用できる。
【符号の説明】
【００４７】
１      交流モータ（電動モータ）
４      ハウジングフレーム（走行機体）
６      前輪
８      後輪（車輪）
１４    運転エリア
１５    座席シート
１５Ａ  着座面
１５Ｖ  空洞部
２０    バッテリ
２１    充電回路
２２    給電回路
２４    充電用コード（充電手段）
２４Ｐ  プラグ（充電手段）
２５    コードリール（充電手段）
２７    充電ランプ
３０    検出器（切り換えスイッチ）
３０Ａ  被操作片
３２    タップ（充電手段）
７０    外部給電設備
【図１】
0005684666.tif 000002
【図２】
0005684666.tif 000003
【図３】
0005684666.tif 000004
【図４】
0005684666.tif 000005
【図５】
0005684666.tif 000006
【図６】
0005684666.tif 000007